(57)【要約】【課題】本考案は横材固定金具に関し、屋外での公園、遊園地等の外柵や道路の境界等の柵、屋内では階段や通路の手摺として支持柱に横材を取付ける。【解決手段】横材固定金具Ａは、一方に支持柱Ｂにねじ止めする取付面３が設けられ、他方に筒状部４を有した雌状金具部材１と、筒状部４内に離脱不能に且つ回動可能に嵌挿され、ボルト６により回動が阻止される球面部７の一端に横材８の端部に取付ける取付部９を設けた雄状金具部材２とにより支持柱に横材を固定し、前記取付部は横材の取付穴８ａ内に挿入する筒状体１０に形成され、該筒状体の長孔１１と横材を貫通するボルト１２にて雄状金具部材を横材に締着する。【選択図】図１
0003127651.tif 000002
【実用新案登録請求の範囲】
【請求項１】
一方に支持柱の外側面にねじ止めされる取付面が設けられ、他方には、筒状部を有して該筒状部の内面に交叉するねじ孔が設けられた雌状金具部材と、前記筒状部の内面に離脱不能に且つ回動可能に嵌挿され、前記ねじ孔に螺合するボルトの締め付けにより回動が阻止される球面部の一端に横材の端部に取付けられる取付部を設けた雄状金具部材と、により前記支持柱に前記横材を固定する横材固定金具において、
（イ）前記雄状金具部材の前記取付部が前記横材の端部に設けられた取付穴内に挿入される雄状の筒状体に形成され、
（ロ）該筒状体に、長孔が設けられ、そして、
（ハ）前記横材及び前記長孔を貫通するボルトにより、前記雄状金具部材が前記横材に締着されている
ことを特徴とする横材固定金具。
【請求項２】
前記取付穴内に合成樹脂又は金属により形成された筒状のスペーサが嵌着され、そして、該スペーサを介して前記雄状金具部材の前記筒状体が前記取付穴内に挿入されていることを特徴とする請求項１に記載の横材固定金具。
【請求項３】
前記長孔を貫通するボルトが螺入可能に前記横材に設けた挿通孔、または前記雄状金具部材の前記筒状体が挿入される横材の取付穴、もしくは支持柱の外側面に前記雌状取付金具の取付面がねじ止めされるねじ孔の少なくとも１つには、シーリング材が充填されていることを特徴とする請求項１又は２に記載の横材固定金具。
【請求項４】
雄状金具部材の前記取付部が、円筒体、または八角筒体、六角筒体、四角筒体等の角筒体であり、そして、前記取付部が挿入可能に前記横材の端部に設けた前記取付穴が、縦断面円筒形、または断面八角形、断面六角形、断面四角形に形成されていることを特徴とする請求項１,２,３の何れか１の請求項に記載の横材固定金具。
【考案の詳細な説明】
【技術分野】
【０００１】
本考案は横材固定金具に関し、屋外における例えば公園、遊園地、牧場等の外柵として、また、法面に対する道路との境界等の柵として、さらには、屋内では、例えば階段や通路などの手摺として、支持柱に横材を容易かつ確実に連結し、取付けるものである。
【背景技術】
【０００２】
従来、屋内の階段や通路の手摺には、複数の支持柱を配列して立設し、相隣る支持柱の中間部或いは上端部を手摺棒で連結する形式のものがある。そして、従来、例えば傾斜した手摺棒と縦杆としての支持柱を連結するためにボール継手を用いた勾配自在手摺があった（例えば特許文献１参照。）。
【０００３】
また、ほかの従来例として階段に立設された支持柱の上部にナットが保持され、支持柱には支持柱の上端部を覆うキャップが上下位置変更自在に挿通され、手摺りの下面から垂下したねじ棒がキャップの上面の通孔を経てナットに螺入され、キャップの上面がねじ棒の上部に形成した円形の受体に当接されてなる階段の手摺りの支持構造があった（例えば特許文献２参照。）。
【０００４】
また、階段や通路に沿って設けられる手摺棒と手摺棒とを自在継手を用いて連結するという手摺があった（例えば特許文献３参照。）。
【０００５】
さらに、屋外において例えば公園、遊園地、遊歩道、牧場等の外柵として、また、法面に対する道路との境界等の柵には、腐食性や耐久性を考慮して芯材としての補強用金属管の両端内部にリングナットをかしめ固定し、補強用金属管の外周にはプラスチック製の外管を外嵌した擬似横木を形成し、この擬似横木を支持柱の左右に取付けるのに、支持柱を貫通する結合ボルトを前記リングナットに螺挿することにより支持柱にプラスチック製の横木を取付けるようにしたプラスチック製擬木柵があった（例えば特許文献４参照。）。
【特許文献１】実開平１−６１３３４号公報
【特許文献２】特開平４−１９４２５６号公報
【特許文献３】特開平５−１４８９６８号公報
【特許文献４】特開平７−１１９３３７号公報
【考案の開示】
【考案が解決しようとする課題】
【０００６】
しかしながら、特許文献１記載の勾配自在手摺では、階段の各ステップ面に立設される支持柱の上部と手摺棒とを球面状の自在継手で連結するものであり、自在継手は手摺棒の傾斜角度を階段の勾配に一致させるように調整する機能はあるが、手摺棒を調整した角度に固定する機能はない。
【０００７】
また、上記特許文献２記載の階段の手摺りの支持構造は、支持柱の中間部と手摺棒とを連結する手摺には使用できない欠点と、継手の構造が複雑なため高価になる欠点がある。
【０００８】
さらにまた、上記特許文献３に記載の手摺は、階段の手摺のうち、傾斜部分の手摺と水平部分の手摺を球面状の自在継手で連結するものであり、この自在継手も手摺棒の傾斜角度を階段の勾配に容易に調整する機能はあるが、手摺棒を調整した角度に固定する機能はない欠点と、支持柱の中間部と手摺棒とを連結する手摺には使用できない欠点がある。
【０００９】
さらに、屋外において、例えば公園、遊園地、遊歩道、牧場等の外柵として、また、法面に対する道路との境界等の柵として用いる上記特許文献４に記載のプラスチック製擬木柵は、プラスチック製の擬似横木を支持柱に取付けるのに、擬似横木内の芯材としての補強用金属管の両端内部にかしめ固定したリングナットに支持柱を貫通した結合ボルトを螺挿することにより支持柱を中間に配置してその左右両側に擬似横木を取付ける構造である。このため、支持柱、および該支持柱に対して左右から接合して取付ける擬似横木の水平度を確保して組付精度を良くしなければ支持柱を貫通する結合ボルトの左右のねじ部を支持柱の左右両側に配置して連結される擬似横木のリングナット内に螺挿することができず、支持柱に擬似横木を取付けることができなかった。
【００１０】
しかも、特許文献４に記載のプラスチック製擬木柵は、プラスチック製の外管内に芯材として補強用金属管を嵌入し、この補強用金属管の両端内にリングナットをかしめ固定する構成なので、製作および組付けには多くの時間および手間を必要とし、製作コストは高価であった。また、プラスチック製の外管は衝撃や外部から過大な引張力や圧縮力を受けると破損したり、カケを生じ易い欠点がある。しかも、廃棄処分を行うのに、組成材料の分別作業を要し、手間がかかる等の問題を抱えていた。
【００１１】
本考案は、かかる課題を解決するために、支持柱の中間部と横材とを連結する構築作業が効率良く行えると共に、全体の剛性が確保され、取付部の強度が保証されて構造的に堅牢になり、さらには、廃棄処分が容易となる横材固定金具を低コストで提供することを目的とする。
【課題を解決するための手段】
【００１２】
上記目的を達成するために、本考案の請求項１の考案は、一方に支持柱の外側面にねじ止めされる取付面が設けられ、他方には、筒状部を有して該筒状部の内面に交叉するねじ孔が設けられた雌状金具部材と、前記筒状部の内面に離脱不能に且つ回動可能に嵌挿され、前記ねじ孔に螺合するボルトの締め付けにより回動が阻止される球面部の一端に横材の端部に取付けられる取付部を設けた雄状金具部材と、により前記支持柱に前記横材を固定する横材固定金具において、
（イ）前記雄状金具部材の前記取付部が前記横材の端部に設けられた取付穴内に挿入される雄状の筒状体に形成され、
（ロ）該筒状体に、長孔が設けられ、そして、
（ハ）前記横材及び前記長孔を貫通するボルトにより、前記雄状金具部材が前記横材に締着されていることを特徴とする。
【００１３】
また、本考案の請求項２に記載の考案は、請求項１において、前記取付穴内に合成樹脂又は金属により形成された筒状のスペーサが嵌着され、そして、該スペーサを介して前記雄状金具部材の前記筒状体が前記取付穴内に挿入されていることを特徴とする。
【００１４】
また、本考案の請求項３に記載の考案は、請求項１又は２において、前記長孔を貫通するボルトが螺入可能に前記横材に設けた挿通孔、または前記雄状金具部材の前記筒状体が挿入される横材の取付穴、もしくは支持柱の外側面に前記雌状取付金具の取付面がねじ止めされるねじ孔の少なくとも１つには、シーリング材が充填されていることを特徴とする。
【００１５】
また、本考案の請求項４に記載の考案は、請求項１,２,３の何れか１の請求項において、雄状金具部材の前記取付部が、円筒体、または八角筒体、六角筒体、四角筒体等の角筒体であり、そして、前記取付部が挿入可能に前記横材の端部に設けた前記取付穴が、縦断面円筒形、または断面八角形、断面六角形、断面四角形に形成されていることを特徴とする。
【考案の効果】
【００１６】
本考案の請求項１の考案は、一方に支持柱の外側面にねじ止めされる取付面が設けられ、他方には、筒状部を有して該筒状部の内面に交叉するねじ孔が設けられた雌状金具部材と、前記筒状部の内面に離脱不能に且つ回動可能に嵌挿され、前記ねじ孔に螺合するボルトの締め付けにより回動が阻止される球面部の一端に横材の端部に取付けられる取付部を設けた雄状金具部材と、により前記支持柱に前記横材を固定する横材固定金具において、前記雄状金具部材の前記取付部が前記横材に設けた取付穴内に挿入される雄状の筒状体に形成され、該筒状体に、長孔が設けられ、そして、前記横材及び前記長孔を貫通するボルトにより、前記雄状金具部材が前記横材に締着されているので、例えば、支持柱と横材との連結作業で組付ける組付け例においては、横材の端部に設けた取付穴内に横材固定金具の雄状金具部材の一方に設けた雄状の筒状体を挿入し、該筒状体に設けた長孔、及び横材にボルトを貫通することにより雄状金具部材を横材の両端部に締着する。この時、雄状金具部材の他端に設けられている球面部は、雌状金具部材の筒状部内に離脱不能且つ回動可能に嵌挿させることにより雄状金具部材に雌状金具部材を予め組付けておく。そして、施工現場において、雌状金具部材の一方に設けた取付面を敷設個所に立設した支持柱の外側面にねじ止めすることにより横材固定金具を介して横材を支持柱に組み上げる。また、他の組付例としては、前記雄状金具部材は一方に設けた前記雄状の筒状体を横材の端部に設けた取付穴内に挿入し、筒状体に設けた長孔、及び横材にボルトを貫通することにより横材の端部に締着しておくものがあげられる。この組付け例においては、支持柱には、雌状金具部材の一方に設けた取付面を支持柱の外側面にねじ止めすることにより雌状金具部材を支持柱にねじ止めしておくこともできるし、また、施工現場において、支持柱を立設し、雌状金具部材の他方に設けた筒状部内に横木の端部に取付けている雄状金具部材の球面部を離脱不能且つ回動可能に嵌挿して取付けることにより横材取付金具を介して支持柱と横材とを組付けることもできる。本考案の請求項１の考案によれば、このように組付けると、支持柱の中間部と横材とを容易な構築作業により連結することができ、作業性が向上される。しかも、横材を支持柱に調整角度に保持できるので、全体の剛性が確保される。また、雄状金具部材の取付部は、雄状の筒状体に形成され、この柱状体は横材の端部に設けた取付穴内に挿入して締着されるので、強度が保証されて構造的に堅牢になり、積雪等の荷重、外部からの引張力や圧縮力に対して構造堅牢になり、腐食防止にもなる。また、横材固定金具自体、構造簡単であり、構成部品も少ないため製作、および組付けは容易であり、製作コストおよび資材費は安価である。
【００１７】
また、本考案の請求項２に記載の考案は、請求項１において、前記取付穴内に合成樹脂又は金属により形成された筒状のスペーサが嵌着され、そして、該スペーサを介して前記雄状金具部材の前記筒状体が前記取付穴内に挿入されていることを特徴とするので、雄状金具部材の筒状体をスペーサを介して迅速かつ円滑に雌状の金具部材の取付穴内に挿入でき、作業効率は向上する。
【００１８】
また、本考案の請求項３に記載の考案は、請求項１又は２において、前記長孔を貫通するボルトが螺入可能に前記横材に設けた挿通孔、または前記雄状金具部材の前記筒状体が挿入される横材の取付穴、もしくは支持柱の外側面に前記雌状取付金具の取付面がねじ止めされるねじ孔の少なくとも１つには、シーリング材が充填されていることを特徴とするので、このシーリング材により横材に設けた挿通孔、ねじ孔、取付穴等が閉塞されるため、雨水、雪が侵入し、横材等が腐食するのを防止できる。
【００１９】
また、本考案の請求項４に記載の考案は、請求項１,２,３の何れか１の請求項において、雄状金具部材の前記取付部が、円筒体、または八角筒体、六角筒体、四角筒体等の角筒体であり、そして、前記取付部が挿入可能に前記横材の端部に設けた前記取付穴が、縦断面円筒形、または断面八角形、断面六角形、断面四角形に形成されていることを特徴とするので、雄状金具部材の取付部を横材の取付穴内に構造堅牢に取付けることができる。また、取付部が八角筒体、六角筒体、四角筒体等の角筒体であり、取付穴が、断面八角形、断面六角形、断面四角形に形成される場合には、取付部が取付穴内において不用意に回動することなく、挿入して作業効率良く取付けることができる。
【考案を実施するための最良の形態】
【００２０】
以下、図面に従って本考案の横材固定金具の実施形態を、木製の外柵を構築する場合につき説明する。
【００２１】
（実施の形態１）
図１は本考案の横材固定金具の実施形態１を示す斜視図、図２は取付状態の一例を示す断面図、図３は本実施形態１の横材固定金具を用いて組付けられた外柵の側面図、図４は同じく支持柱に本実施形態１の横材固定金具を取付けた状態の平面図、図５は図４の側面図である。
【００２２】
本実施の形態１では、１組の横材固定金具Ａは、一方に木製の支持柱Ｂの外側面にねじ止めされる取付面３が設けられ、他方には、筒状部４を有して該筒状部４の内面に交叉する数個のねじ孔５が設けられた雌状金具部材１と、前記筒状部４の内面に離脱不能に且つ回動可能に嵌挿され、前記ねじ孔５に螺合するボルト６の締め付けにより回動が阻止される球面部７の一端に木製の横材８の端部に取付けられる取付部９を設けた雄状金具部材２と、により前記支持柱Ｂに前記横材８を固定するようになっている。
【００２３】
前記雄状金具部材２の前記取付部９が、前記横材８に設けた取付穴８ａ内に挿入される雄状の筒状体１０に形成される。このように、取付部９を筒状体１０に形成したのは、引張力または圧縮力に対して強度を発揮して構造堅牢になすのと、取付穴８ａ内の挿脱操作が容易に行え、しかも、筒状体１０が取付穴８ａ内に挿入されることにより取付部が雨や雪に曝されて腐食するのを防止するのと、取付後のガタツキを規制するためである。そして、該筒状体１０に、長孔１１が設けられ、この長孔１１と、前記横材８及び前記長孔１１を貫通するボルト１２により、前記雄状金具部材２が前記横材８に締着されるようになっている。
【００２４】
前記雌状金具部材１は、左右のフランジ１３の一方の面に、支持柱Ｂの側面に当接する前記取付面３が設けられ、フランジ１３の他方の面には取付面３の反対側に突出する前記筒状部４が設けられる。
【００２５】
前記取付面３の形状は、円柱状の支持柱Ｂの外周にほぼ全面接触する凹面に形成され、フランジ１３の両端部に孔１４が設けられる（図１，図４参照）。そして、孔１４に挿通されるボルト１５が前記支持柱Ｂにねじ込まれることにより、雌状金具部材１が支持柱Ｂに固着される。
【００２６】
また、前記筒状部４には、内面に交叉する前記ねじ孔５が設けられ、該ねじ孔５には前記ボルト６が螺入されることにより球面部７の回動を拘束して固定するようになっている。
【００２７】
前記雄状金具部材２は、外面が球面形状に形成された前記球面部７の一端に、前記取付部９が延設される。この取付部９は、図示する本実施の形態１では円筒体に形成され、そして、この取付部９が挿入されて取付けられるように横材８の両端部に設けた取付穴８ａが、縦断面円筒形に形成されているが、これは代表的な例示であり、取付部９は図示するものに限ることなく、図には示さないが例えば八角筒体、六角筒体、四角筒体等の角筒体であっても良く、しかも、前記取付穴８ａが、断面八角形、断面六角形、断面四角形に形成されたものでも良い。このように、雄状金具部材２の取付部９が八角筒体、六角筒体、四角筒体等の角筒体に形成され、取付穴８ａが、断面八角形、断面六角形、断面四角形に形成される場合には、取付部９を取付穴８ａ内に不用意に回動することなく、挿入して取付けることができる点で有利である。
【００２８】
前記球面部７は、前記筒状部４に回動可能に嵌挿される大きさを有し、該筒状部４に挿入された後に、該筒状部４の先端を小径にする歪み変形加工により、筒状部４から離脱不能になるが、回動は可能である。
【００２９】
前記横材８の両端部には、前記筒状部４が挿入される前記取付穴８ａが設けられ、横材８の一方の側面から取付穴８ａに達する挿通孔１６と、取付穴８ａから横材８の他方の側面に貫通するねじ孔１７が設けられる（図４参照）。そして、挿通孔１６を経由して筒状体１０の長孔１１を通過するボルト１２がねじ孔１７に螺合する。
【００３０】
また、２０は例えば柔軟性を有する合成樹脂、セメントモルタルのような水硬性材料により形成されるシーリング材であり、このシーリング材２０は横材８や支持柱Ｂが木製である場合に、前記長孔１１を貫通するボルト１２が螺入可能に前記横材８に設けた挿通孔１６、また前記雄状金具部材２の前記筒状体１０が挿入される前記横材８の取付穴８ａ、もしくは前記支持柱Ｂの外周側面に前記雌状取付金具１の取付面３がねじ止めされるねじ孔１４,１４の少なくとも１つに充填するようにすれば、シーリング材２０により挿通孔１６、ねじ孔１４,１４、取付穴８ａ等が閉塞されることにより雨水、雪が木製の横材８や支持柱Ｂ内に侵入し、腐食するのを防止することができ、長期の使用に耐え得る。
【００３１】
以上のように構成された横材固定金具Ａにより、例えば屋外において公園、遊園地、遊歩道、牧場等の外柵として、また、法面に対する道路との境界等の柵として立設される支持柱Ｂの中間部を横材８で連結する作業につき説明する。
【００３２】
＜第１組付例＞
前記支持柱Ｂと横材８との連結作業の一組付例を述べれば、先ず、横材固定金具Ａの雄状金具部材２の筒状体１０を、横材８の一方の端部内に設けた取付穴８ａ内に挿入し、横材８の端部の一方に設けた挿通孔１６，雄状金具部材２の筒状部１０に設けた長孔１１を通過して横材８の端部の他方に設けたねじ孔１７にボルト１２を螺合して締め、筒状体１０を挟圧することにより横材８の両端部に雄状金具部材２と、雌状金具部材１とよりなる横材固定金具Ａを取付けておく。
【００３３】
前記第１組付例においては、前記雄状金具部材２と前記横材８との関係は、前記取付部９は筒状体１０に形成されているので、横材８の取付穴８ａ内の挿入作業を容易に行うことができ、しかも、前記取付部９は筒状体１０に形成されているので、筒状体１０は引張力または圧縮力に対して強度を発揮して構造堅牢に取付けることができるとともに取付後のガタツキを防止することができる。
【００３４】
また、雄状金具部材２と前記横材８の端部に設けた取付穴８ａには、雄状金具部材２の筒状体１０を挿入させた後、ボルト１２を挿通孔１６，長孔１１を通過させてねじ孔１７に螺合することにより筒状体１０を挟圧させる。前述の雄状金具部材２の他端に設けられている球面部７は、雌状金具部材１の筒状部４に離脱不能で且つ回動可能に嵌挿されている。
【００３５】
前記筒状体１０は、前記球面部７を支点として水平方向には角度αの範囲で回動可能であり、上下方向には角度βの範囲で回動可能であるので（図４，図５参照）、横材８の長手方向の向きの修正を容易に自由に調整することができる。また、前記回動角度範囲内であれば横材８を任意角度に屈曲させる自由度があるので、施工現場毎に支持柱Ｂに取り付ける横材８の傾斜が異なったり、障害物を迂回したり、水平度を確保する場合に便利である。
【００３６】
この組付け例においては施工現場で、前記横材８の設置角度が決まった後に、ボルト６を締め込めば、球面部７の回動は固定されるので、横材８がぐらつく剛性不足を生じる虞はない。
【００３７】
また、この組付け例においては、施工現場において前記支持柱Ｂの間隔と前記横材８の長さについては相対的誤差が生ずるけれども、前記雄状金具部材２の筒状体１０の長孔１１の長さの範囲で調整することもできる。
【００３８】
そして、前記第１組付例において、雌状金具部材１の取付について説明すると、先ず、施工現場においてほぼ等間隔に配列して立設される前の各支持柱Ｂの外周側面の中間部に、雌状金具部材１のフランジ１３をボルト１５により固着することにより、横材固定金具Ａを介して支持柱Ｂの中間部を横材８で連結する。次ぎに、上述のような手順、同様の操作を繰り返して行うことにより、図２，図３に示すような外柵を効率良く構築することができる。
【００３９】
また、前記横材８を交換する等、前記支持柱Ｂに対して前記横材８を分離する場合には、ボルト１５を緩めることにより、雌状取付金具１のフランジ１３、１３を支持柱Ｂから取り外せば、支持柱Ｂに対して横材８を分離することができる。従って、前記支持柱Ｂと、前記横材８との分離、および前記横材固定金具Ａの交換、補修にも便利である。
【００４０】
＜第２組付例＞
前記横材固定金具Ａを使用して前記支持柱Ｂと前記横材８とを組付ける場合の他の組付例を述べれば、前記雄状金具部材２は、一方に設けた雄状の前記筒状体１０を横材８の端部に設けた取付穴８ａ内に挿入し、該筒状体１０に設けた長孔１１、及び前記横材８にボルト１２を貫通することにより前記横材８の端部に締着しておく。この時、前記支持柱Ｂには、前記雌状金具部材１の一方に設けた取付面３を前記支持柱Ｂの外側面にねじ止めすることにより雌状金具部材１を前記支持柱Ｂにねじ止めしておく。この組付け例においては、上記のように前記横材８に組上がった前記雄状金具部材２と、前記支持柱Ｂに組上がった雌状金具部材１とは、施工現場において、前記支持柱Ｂを立設し、前記雌状金具部材１の他方に設けた筒状部４内に前記横木８の端部に取付けている前記雄状金具部材２の球面部７を離脱不能に且つ回動可能に嵌挿して取付けることにより横材固定金具Ａを介して支持柱Ｂに横材８を組付けることもできるが、前記横材固定金具Ａを使用して支持柱Ｂと横材８とを組付ける上記２つの組付例はあくまで例示であるので、横材固定金具Ａの使用例は、本考案の目的に反しない限り上記説明以外の組み付例であってもかまわない。
【００４１】
（実施の形態２）
図６は本考案の横材固定金具Ａの実施の形態２である。図６に示すように横材固定金具Ａは、前記横材８の前記取付穴８ａ内に合成樹脂又は金属により形成された筒状のスペーサ３０を嵌着し、該スペーサ３０を介して前記雄状金具部材２の前記筒状体１０が前記取付穴８ａ内に挿入される以外は前記実施の形態１における横材固定金具Ａと同様の構造を有している。そして、本実施の形態２では、前記雄状金具部材２の筒状体１０を雄状のスペーサ３０を介して迅速かつ円滑に前記雌状金具部材１の取付穴８ａ内に挿入することができる。
【００４２】
前記実施の形態１、および前記実施の形態２では、支持柱Ｂ、および横材８は木製の場合を代表的に説明したが、これに限ることなく、支持柱Ｂと横材８との双方、または何れか一方が合成樹脂、または金属、セメントモルタルで形成されている場合にも本考案の適用範囲である。
【産業上の利用可能性】
【００４３】
本考案は、支持柱の中間部と横材とを連結する構築作業が効率良く行え、また、横材を支持柱に調整角度に保持することにより全体の剛性が確保され、取付部の強度が保証されて構造的に堅牢になり、また、廃棄処分が容易であり、製作コストが安価である等の用途、機能に適する。
【図面の簡単な説明】
【００４４】
【図１】図１は本考案の横材固定金具の実施の形態１を示す斜視図である。
【図２】図２は取付状態の一例を示す断面図である。
【図３】図３は本実施の形態１の横材固定金具を用いて組付けられた外柵の側面図である。
【図４】図４は同じく支持柱に本実施の形態１の横材固定金具を取付けた状態の平面図である。
【図５】図５は図４の側面図である。
【図６】図６は本考案の横材固定金具の実施の形態２を示す断面図である。
【符号の説明】
【００４５】
Ａ    横材固定金具
Ｂ    支持柱
１    雌状金具部材
２    雄状金具部材
３    取付面
４    筒状部
５    ねじ孔
６    ボルト
７    球面部
８    横材
８ａ  取付穴
９    取付部
１０  筒状体
１１  長孔
１２  ボルト
１６  挿通孔
１７  ねじ孔
【図１】
0003127651.tif 000003
【図２】
0003127651.tif 000004
【図３】
0003127651.tif 000005
【図４】
0003127651.tif 000006
【図５】
0003127651.tif 000007
【図６】
0003127651.tif 000008